(57)【要約】【課題】可動機構部を有する電装機器について安全性を確保しつつ精度の高い検査調整作業を行う。【解決手段】複写機の検査段階で検査工程モードに設定された状態で、検査用治具５００に付随したコネクタ３１０を複写機のコネクタ１１０に接続し、回転現像ユニット６００の駆動を禁止した状態とする。そして、回転現像ユニットを手作業で動かしながら検査用治具５００をセットし、現像器と転写ドラムとのバイアス電圧を測定していく。そして、測定作業が終了すると、検査用治具５００を外し、さらにコネクタ３１０を外して次の工程に移行する。そして、全ての検査が終了した後、検査工程モードを通常使用モードに切り替え、出荷等の工程に移行する。このようにして安全で効率のよい検査作業を行うことができる。【選択図】        図２
2004257969.tif 000002
【特許請求の範囲】
【請求項１】
機械的に可動する可動機構部と、
前記可動機構部を駆動する駆動制御部と、
前記可動機構部の検査工程では使用しないオプション部品を接続するためのオプション用コネクタと、
前記オプション用コネクタの使用設定を検査工程モードと通常使用モードに選択的に設定する設定手段と、
前記設定手段によって検査工程モードが選択された状態において前記オプション用コネクタに可動機構部の駆動禁止用部品が装着されたことを検出し、前記駆動制御部による可動機構部の駆動を禁止する駆動禁止手段と、
を有することを特徴とする電装機器。
【請求項２】
前記設定手段は初期状態で検査工程モードを選択しており、外部操作入力に応じて通常仕様モードに選択を切り換えることを特徴とする請求項１記載の電装機器。
【請求項３】
前記電装機器がリボルバー方式の複写機であり、前記可動機構部が各色の現像器を搭載した回転現像ユニットであることを特徴とする請求項１記載の電装機器。
【請求項４】
前記検査工程モードにおいて前記現像器と転写器に治具を装着し、前記現像器と転写器との間のバイアス電圧を測定することを特徴とする請求項３記載の電装機器。
【請求項５】
前記駆動禁止用部品は、前記オプション用コネクタの特定端子の間を短絡する手段であることを特徴とする請求項１記載の電装機器。
【請求項６】
前記駆動禁止手段によって駆動禁止された状態で前記可動機構部が駆動制御部の制御より分離されることを特徴とする請求項１記載の電装機器。
【請求項７】
機械的に可動する可動機構部と、前記可動機構部を駆動する駆動制御部と、前記可動機構部の検査工程では使用しないオプション部品を接続するためのオプション用コネクタとを有する電装機器の検査方法であって、
前記オプション用コネクタの使用設定を検査工程モードと通常使用モードに選択的に設定する設定ステップと、
前記設定ステップによって検査工程モードが選択された状態において前記オプション用コネクタに可動機構部の駆動禁止用部品が装着されたことを検出し、前記駆動制御部による可動機構部の駆動を禁止する駆動禁止ステップと、
を有することを特徴とする電装機器の検査方法。
【発明の詳細な説明】
【０００１】
【発明の属する技術分野】
本発明は、例えばリボルバー方式の複写機等のように可動機構部を有する電装機器及びその検査方法に関し、特に可動機構部に治具等を装着して検査を行う場合に有効な電装機器及びその検査方法に関する。
【０００２】
【従来の技術】
従来より、例えばリボルバー方式のカラー複写機においては、例えばＹＭＣの補色カートリッジを含む３つの現像器を搭載した回転現像ユニット（リボルバー）を有し、この回転現像ユニットを回転させて各補色カートリッジを転写ドラムに順次対向させ、各色の現像を順番に行うような構造となっている。
ところで、このようなカラー複写機の組み立てラインの検査調整工程においては、各現像器と転写ドラムの間の電圧が適切な値になっていることを検査する必要性があり、そのための作業として、回転現像ユニットにダミーの現像器及び測定用の治具を装着し、各現像器と転写ドラムとの間の電圧を治具に付属した電圧測定器によって測定し、必要な調整を行うことが考えられる。
【０００３】
【発明が解決しようとする課題】
しかしながら、上述のように回転現像ユニットにダミーの現像器及び治具を装着した状態で測定や調整を行う場合に、現像器や治具に付随するワイヤやその他の部材が回転現像ユニットからはみ出した状態で作業を行うことになり、例えば操作パネルからの誤操作等により、誤って回転現像ユニットの回転駆動が生じた場合、ワイヤやその他の部材が一緒に回転し、作業の中断や調整のやり直しが発生したり、検査治具、複写機の筐体等を破損させる恐れがある。
このため従来は、作業の安全性を考慮して、回転現像ユニット等の可動機構部については最終的な検査調整を行わず、静止した部分の検査調整だけに限定して行うようにしており、不十分な調整状態が残ってしまう場合があった。
なお、このような問題は、複写機に限らず、可動機構部を有する電装機器において広く生じるものと思われる。
【０００４】
そこで本発明の目的は、可動機構部を有する電装機器について安全性を確保しつつ精度の高い検査調整作業を行うことが可能な電装機器及びその検査方法を提供することにある。
【０００５】
【課題を解決するための手段】
本発明は前記目的を達成するため、機械的に可動する可動機構部と、前記可動機構部を駆動する駆動制御部と、前記可動機構部の検査工程では使用しないオプション部品を接続するためのオプション用コネクタと、前記オプション用コネクタの使用設定を検査工程モードと通常使用モードに選択的に設定する設定手段と、前記設定手段によって検査工程モードが選択された状態において前記オプション用コネクタに可動機構部の駆動禁止用部品が装着されたことを検出し、前記駆動制御部による可動機構部の駆動を禁止する駆動禁止手段とを有することを特徴とする。
【０００６】
また本発明は、機械的に可動する可動機構部と、前記可動機構部を駆動する駆動制御部と、前記可動機構部の検査工程では使用しないオプション部品を接続するためのオプション用コネクタとを有する電装機器の検査方法であって、前記オプション用コネクタの使用設定を検査工程モードと通常使用モードに選択的に設定する設定ステップと、前記設定ステップによって検査工程モードが選択された状態において前記オプション用コネクタに可動機構部の駆動禁止用部品が装着されたことを検出し、前記駆動制御部による可動機構部の駆動を禁止する駆動禁止ステップとを有することを特徴とする。
【０００７】
本発明の電装機器及びその検査方法では、検査工程で使用しないオプション用コネクタを用い、このオプション用コネクタの使用設定を検査工程モードとした状態において可動機構部の駆動禁止用部品を装着することにより、駆動制御部による可動機構部の駆動を禁止し、検査用の治具等を装着して検査作業を行う。
これにより、駆動制御部の誤作動等による可動機構部の不用意な動作を防止した状態で検査の作業を行うことができ、可動機構部に対する安全で効率的な検査作業を実現できる。この結果、より完全な検査を実現でき、製品の信頼性を向上できるとともに、作業性の向上によって生産性の改善を達成できる。
【０００８】
【発明の実施の形態】
以下、本発明による電装機器及びその検査方法の実施の形態例について説明する。
本実施の形態例は、可動機構部を有する電装機器の一例としてリボルバー方式のカラー複写機を例に説明する。なお、ここで説明する複写機としては、各種の複合機（ＭＦＰ）を含むものとし、可動機構部としての回転現像ユニットを有するものであればよい。
【０００９】
図１は本発明の実施の形態例による複写機の概要を示すブロック構成図であり、図２は図１に示す構成のうち主に本例の検査方法に関する要部の構成を示す回路図である。
また、図３は本実施の形態例による複写機の概略構成を示す概略側面図であり、図４は図３に示す複写機の現像部と転写部の具体例を示す断面図である。
【００１０】
図１に示すように、本例の複写機は、装置全体の制御を行うメイン制御部１０、装置各部の状態を検知するセンサ部２０、現像、転写、紙搬送等の各種駆動系を含む駆動部３０、オペレータが各種キー操作を行うための操作パネル部４０と、各種表示を行うためのＬＣＤ等の表示部５０等を有してい構成されている。
そして、このような構成のうち、メイン制御部１０が主に本例の特徴となる検査方法を実現するための各種制御を行うものであり、また、検査対象となる現像部及び転写部は、駆動部３０に含まれているものとする。なお、現像部及び転写部の詳細については図４によって後述する。
【００１１】
また、図２に示す構成は、主にメイン制御部１０に含まれる制御基板１００上のオプション用インタフェース部の構成を示している。
図示のように、このオプション用インタフェース部には、オプション機器（図示せず）の接続用コネクタ２１０または検査用治具に付随したコネクタ３１０が接続されるコネクタ１１０と、このコネクタ１１０からの入力信号を処理する入力ポート１２１を有するインタフェース用ＩＣ１２０が設けられている。
ここでオプション機器とは、本例の複写機の実使用時に、この複写機にオプションとして取り付け可能な機器であり、このオプション機器から導かれたハーネスケーブル２００に接続用コネクタ２１０が接続され、この接続用コネクタ２１０を複写機側のコネクタ１１０に接続することで、オプション機器の使用が可能となるものである。ただし、このオプション機器は、製品出荷後のユーザ使用時において使用されるものであり、本例の検査方法を適用する出荷前の検査時には使用しないものである。
【００１２】
したがって、コネクタ１１０は、検査時にはオプション用には不要となるものであり、本例の検査方法では、このコネクタ１１０を検査時に検査用治具に付随するコネクタ３１０の接続用に用いて回転現像ユニットの誤作動禁止を実現するものである。
この検査用治具に付随するコネクタ３１０は、コネクタ１１０の入力信号線と電源線につながる２つの端子を短絡する閉ループのハーネスケーブル３１１を有するものであり、入力信号線を介してインタフェース用ＩＣ１２０の入力ポート１２１に電源電圧を印加するものである。
インタフェース用ＩＣ１２０は、入力ポート１２１に電源電圧が印加されると、検査時であることを識別し、メイン制御部１０から駆動部３０に回転現像ユニットの回転駆動を禁止するように指示する。これにより、駆動部３０の現像駆動系の機能が停止し、駆動部３０と回転現像ユニットは相互に分離されることになる。
この状態では、例えば操作パネル部４０からの操作では回転現像ユニットは回転駆動できず、手作業で直接操作することにより、回転現像ユニットの回転角度を変えることができるようになり、手作業で検査を行えるようになっている。なお、具体的な検査手順については後述する。
【００１３】
また、本例の複写機においては、メイン制御部１０（制御基板１００）内に通常使用モードと検査工程モードとを選択的に設定するためのレジスタ等の不揮発性のモード設定部（図示せず）が設けられている。このモード設定部は、例えば操作パネル部４０から特定手順による設定操作で特定パラメータの書き込み処理を行うことにより、通常使用モードと検査工程モードの設定、切り替えを行うためのものである。特に本例では、初期状態においては、モード設定部にデフォルト値として検査工程モードを設定しておき、出荷前の検査工程を円滑に行えるようにしておき、検査終了後にモード設定部の設定を通常使用モードに切り替えるようにしている。
メイン制御部１０では、このようなモード設定部の設定を監視しており、上述した入力ポート１２１に電源電圧が検出された際に、モード設定部の設定が検査工程モードである場合に、上述した回転現像ユニットの駆動禁止の処理を実行する。しかし、入力ポート１２１に電源電圧が検出された際に、モード設定部の設定が通常使用モードである場合には、何らかの障害が発生したと判断し、警告等の処理を行うものとする。
このように本例では、入力ポート１２１からの入力値の判定と、モード設定部におけるモード設定の判定とを組み合わせることにより、簡易な構成で信頼性の高い動作を実現している。
【００１４】
次に、本例の複写機における現像部と転写部の構成、ならびにバイアス電圧の検査方法について説明する。
本例の複写機は、全体構造としては従来と同様のものであので、図３に沿って簡単に説明すると、まず、装置筐体４００の上部には、スキャナ部４１０が設けられ、その上に原稿押さえ蓋４２０が配置されている。また、装置筐体４００の下部には、複数段の用紙収納部４３０が設けられ、各用紙収納部４３０に設けられた用紙給送機構によって用紙が選択され、用紙搬送路に送り出される。
そして、装置筐体４００の中段に、図４に示すような、現像部及び転写部４４０が設けられており、スキャナ部４１０で読み取られた原稿画像の潜像形成、現像処理、中間転写等を行い、用紙搬送路を通って送られてきた用紙に転写、定着等の処理を行う。なお、上述した制御基板１００は装置筐体４００の側部に取り付けられている。
また、検査用治具５００を用いたバイアス電圧等の測定及び調整作業は、装置筐体４００の前面に配置されたドア（図示せず）を開いた状態で、回転現像ユニットに検査用のダミー現像器をセットし、さらに治具５００の検査端子を現像部及び転写部４４０の所定接続端子に装着して測定する。
【００１５】
次に、図４を用いて現像部及び転写部の構成例について説明する。
図４には主な構成として、回転現像ユニット６００、転写ドラム７００、中間転写ベルト８００、記録紙の搬送系９００を示している。
回転現像ユニット６００は、回転自在に設けられた円筒状の筐体６００Ａ内に補色系（シアン（Ｃ）、イエロー（Ｙ）、マゼンタ（Ｍ））の３色のトナーカートリッジを内蔵した現像器６１１、６１２、６１３を配置したものであり、筐体６００Ａの回転角度を変化させることにより、３つの現像器６１１、６１２、６１３を選択的に転写ドラム７００に接する位置に移動し、各色の現像を行うものである。なお、通常の動作では、駆動モータ（図示せず）によって回転現像ユニット６００が回転駆動されるが、検査工程では手動で回転操作するようになっている。また、この際、回転現像ユニット６００は、摩擦クラッチ等の作用によって所定の回転位置で摩擦力が大きくなり、適正な角度位置で静止でき、容易に位置出しできるような構造となっている。
また、検査工程では、通常使用する現像器の代わりにダミーの現像器を装着してバイアス電圧測定を行うようになっている。
なお、図では省略しているが、ブラック（Ｋ）の現像器は、回転現像ユニット６００とは別に配置されているものとする。
【００１６】
また、転写ドラム７００は、外周の感光面に静電潜像を形成し、回転現像ユニット６００からのトナーによって現像形成を行うものであり、その周囲に、感光面を帯電する帯電器７１０、感光面を露光する露光部（ポリゴンミラー）７２０、感光面の残留トナーを除去するクリーナ７３０等が配置されている。
また、中間転写ベルト８００は、転写ドラム７００に形成されたトナー画像を記録紙９２０上に転写するものであり、複数のローラ８１０にガイドされて給送される。また、記録紙９２０の搬送系９００は、記録紙９２０を搬送する複数のローラ９１０等によって構成されている。
このような構造において、複写機の検査工程では、各現像器６１１、６１２、６１３と転写ドラム７００との間のバイアス電圧を測定し、適正値に調整する必要がある。そこで、本例では、電圧測定用の治具５００を用いて各現像器６１１、６１２、６１３の測定を順次行う。
【００１７】
次に、この測定手順の具体例について説明する。
まず、上述したように、複写機の検査段階では検査工程モードに設定されているものとする。そこで、検査用治具５００に付随したコネクタ３１０を複写機のコネクタ１１０に接続し、回転現像ユニット６００の駆動を禁止した状態とする。
次に、最初に検査する色の現像器が転写ドラムと対向する状態に回転現像ユニット６００を手動で操作し、検査用治具５００の検出用端子を現像器と転写ドラムの接続端子に接続する。そして、所定の電圧を印加し、バイアス電圧の測定及び調整等の作業を行う。
次に、検査用治具５００を外し、回転現像ユニット６００を手動操作して２番目に検査する色の現像器が転写ドラムと対向する状態とし、検査用治具５００の検出用端子を現像器と転写ドラムの接続端子に接続して、所定の電圧を印加し、バイアス電圧の測定及び調整等の作業を行う。
次に、検査用治具５００を外し、回転現像ユニット６００を手動操作して３番目に検査する色の現像器が転写ドラムと対向する状態とし、検査用治具５００の検出用端子を現像器と転写ドラムの接続端子に接続して、所定の電圧を印加し、バイアス電圧の測定及び調整等の作業を行う。
このようにしてバイアス電圧の測定作業を終了すると、検査用治具５００を外し、さらにコネクタ３１０を外して次の検査工程に移行する。そして、全ての検査が終了した後、検査工程モードを通常使用モードに切り替え、出荷等の工程に移行する。
このようにして安全で効率のよい検査作業を行うことができる。
【００１８】
なお、以上の例は、電装機器として複写機を例に説明したが、本発明を適用できる電装機器としては、複写機に限らず、機械的に可動する要素を有するものであればよい。また、上述したコネクタ等の具体的構成については、本発明の主旨の範囲内で種々変形し得ることはもちろんであり、検査対象となる機器の構造等に応じて適宜変形できるものとする。
【００１９】
【発明の効果】
以上説明したように本発明の電装機器及びその検査方法では、検査工程で使用しないオプション用コネクタを用い、このオプション用コネクタの使用設定を検査工程モードとした状態において可動機構部の駆動禁止用部品を装着することにより、駆動制御部による可動機構部の駆動を禁止し、検査用の治具等を装着して検査作業を行うようにしたことから、駆動制御部の誤作動等による可動機構部の不用意な動作を防止した状態で検査の作業を行うことができ、可動機構部に対する安全で効率的な検査作業を実現できる。
したがって、各種電装機器に対し、より完全な検査を実現でき、製品の信頼性を向上できるとともに、作業性の向上によって生産性の改善を達成できる。
【図面の簡単な説明】
【図１】本発明の実施の形態例による複写機の概要を示すブロック構成図である。
【図２】図１に示す構成のうち主に本例の検査方法に関する要部の構成を示す回路図である。
【図３】図１に示す複写機の概略構成を示す概略側面図である。
【図４】図３に示す複写機の現像部と転写部の具体例を示す断面図である。
【符号の説明】
１０  メイン制御部、２０  センサ部、３０  駆動部、４０  操作パネル部、５０  表示部、１００  制御基板、１１０、２１０、３１０  コネクタ、１２０インタフェース用ＩＣ、４００  装置筐体、４１０  スキャナ部、４２０  原稿押さえ蓋、４３０  用紙収納部、４４０  現像部及び転写部、５００  検査用治具、６００  回転現像ユニット、６１１、６１２、６１３  現像機、７００  転写ドラム、８００  中間転写ベルト、９００  記録紙搬送系。
【図１】
2004257969.tif 000003
【図２】
2004257969.tif 000004
【図３】
2004257969.tif 000005
【図４】
2004257969.tif 000006